(57)【要約】【課題】メモリの記憶容量の有効利用を図る。【解決手段】印字ラベル作成装置は、インクリメント可能な印字用識別子を含む印字オブジェクトの入力操作を受け付け、印字用識別子のインクリメント実行回数の設定操作を受け付け、受け付けたインクリメント実行回数に応じて、上記入力操作を受け付けた印字オブジェクトの印字用識別子がインクリメントされた、複数の印刷物イメージを生成し、所定の記憶容量を固定的に備え、生成された複数の印刷物イメージを記憶するＲＡＭ２１６を設け、ＲＡＭ２１６に記憶された複数の印刷物イメージを表示し、表示された複数の印刷物イメージに対応した複数の印字ラベルＬを生成し、ＲＡＭ２１６の記憶容量の値に応じて定まる、生成される複数の印刷物イメージの個数の最大値を、上記入力操作を受け付けた印字オブジェクトにおける印字ドット消費要素の態様に応じて可変に設定する。【選択図】図２
2015112820.tif 000002
【特許請求の範囲】
【請求項１】
被印字テープを搬送する搬送手段と、
前記搬送手段により搬送される前記被印字テープに対し、所望の印字オブジェクトの印字を行う印字手段と、
を有し、
前記印字オブジェクトがそれぞれ前記被印字テープに形成された少なくとも１つの印刷物を、前記搬送手段の搬送方向に沿って作成する印刷装置であって、
１つの前記印刷物に関しテープ長さ方向に少なくとも１個設定可能なブロックに配置されると共に、所定の規則性に沿ってインクリメント可能な印字用識別子を含む、前記印字オブジェクトの入力操作を受け付ける、印字オブジェクト受付手段と、
前記印字用識別子をインクリメントするときのインクリメント実行回数の設定操作を受け付ける、インクリメント回数受付手段と、
前記インクリメント回数受付手段で受け付けた前記インクリメント実行回数に応じて、前記印字オブジェクト受付手段で入力操作を受け付けた前記印字オブジェクトの前記印字用識別子がインクリメントされた、複数の印刷物イメージを生成するイメージ生成手段と、
所定の記憶容量を固定的に備え、前記イメージ生成手段により生成された前記複数の印刷物イメージを記憶するイメージメモリと、
前記イメージメモリに記憶された前記複数の印刷物イメージを表示する表示手段と、
前記搬送手段及び前記印字手段を制御し、前記表示手段に表示された前記複数の印刷物イメージに対応した複数の前記印刷物を生成する、印刷制御手段と、
前記イメージメモリの前記記憶容量の値に応じて定まる、前記イメージ生成手段により生成される前記複数の印刷物イメージの個数の最大値を、前記印字オブジェクト受付手段で入力操作を受け付けた前記印字オブジェクトにおける印字ドット消費要素の態様に応じて可変に設定するイメージ最大値設定手段と、
を有することを特徴とする印刷装置。
【請求項２】
請求項１記載の印刷装置において、
前記イメージ最大値設定手段は、
前記印字オブジェクトにおける前記印字ドット消費要素の態様に応じて、前記インクリメント回数受付手段で受け付ける前記インクリメント実行回数の最大値を制限する、受付回数制限手段である
ことを特徴とする印刷装置。
【請求項３】
請求項１記載の印刷装置において、
前記イメージ最大値設定手段は、
前記印字オブジェクトにおける前記印字ドット消費要素の態様に応じてイメージ生成手段を制御し、前記インクリメント回数受付手段で受け付けたインクリメント実行回数と等しいかあるいはそれよりも少ない回数で前記印字用識別子がインクリメントされた複数の印刷物イメージを生成する、イメージ生成制限手段である
ことを特徴とする印刷装置。
【請求項４】
請求項２又は請求項３記載の印刷装置において、
前記印刷制御手段の制御により、前記表示手段に表示された前記複数の印刷物イメージに対応した前記複数の印刷物が生成された後、所定のインクリメント続行指示を受け付ける続行指示受付手段を有し、
前記続行指示受付手段により前記インクリメント続行指示が受け付けられた場合には、
前記イメージ生成手段は、
前記生成された前記複数の印刷物に備えられた前記印字オブジェクトの前記印字用識別子に引き続き、前記インクリメント回数受付手段で受け付けた前記インクリメント実行回数だけ前記印字用識別子がインクリメントされた、複数の印刷物イメージを新たに生成し、
前記表示手段は、
前記イメージメモリに記憶された前記新たな複数の印刷物イメージを表示し、
前記印刷制御手段は、
前記搬送手段及び前記印字手段を制御し、前記表示手段に表示された前記新たな複数の印刷物イメージに対応した新たな複数の前記印刷物を生成する
ことを特徴とする印刷装置。
【請求項５】
請求項１記載の印刷装置において、
前記イメージ最大値設定手段は、
前記印字オブジェクトにおける前記印字ドット消費要素の態様に応じて、前記インクリメント回数受付手段で受け付けた回数が前記インクリメント実行回数の最大値を超えていた場合には、算出した最大値分の処理が終了した後に自動で次に最大値以下の処理を継続して実行する受付回数継続手段である
ことを特徴とする印刷装置。
【発明の詳細な説明】
【技術分野】
【０００１】
本発明は、印刷に係わり、特に、インクリメント印刷を可能とした印刷装置に関する。
【背景技術】
【０００２】
従来から、ラベル印刷装置等の印刷装置には、類似する印字を自動的にインクリメントして印刷を行うものが知られている（例えば、特許文献１参照）。
【０００３】
このインクリメントとは、数字やアルファベットを連続的に変数の値を１増やす演算を行いつつ多量のラベルを連続印刷するナンバリング印刷としても知られている。
【０００４】
例えば、帳簿等のファイリング作業において、その背表紙等に用いるラベル印刷において、「連絡票ファイル  １９９０年」，「連絡票ファイル  １９９１年」・・・「連絡票ファイル  ２０１３年」といったように、年度の末尾の数字を１つ繰り上げて印刷するような場合に適用されている。
【０００５】
ここで、インクリメントを指定する場合には、例えば、ラベル印刷装置の操作入力画面で、ラベルに印字する内容を「連絡票ファイル  １９９０年」というように入力した後、インクリメントする部分、例えば、「１９９０」を指定する。
【０００６】
そして、次に、何回インクリメントするか、すなわち、何枚のラベルを作成するかを上記操作入力画面上で指定する。
【０００７】
上述した場合、現在年度（２０１３年）までであれば、２３回のインクリメントを指定する。
【０００８】
これら２つの指定操作が終了すると、これに対応してラベル印刷装置の操作入力画面上等には、上記２３枚のラベルイメージ画像、すなわち、「連絡票ファイル  １９９０年」，「連絡票ファイル  １９９１年」・・・「連絡票ファイル  ２０１３年」の全てが表示される。
【０００９】
この際、操作入力画面の表示スペースがラベルイメージ画像の枚数に対して小さい場合、操作者は所定のスクロール操作を行うことでラベルイメージ画像の確認をすることができる。
【００１０】
したがって、上記ラベルイメージを表示（確認）した操作者は、適宜の操作入力（例えば、「印刷」ボタンの押下）により、上記２３枚のイメージ通りのラベルを実際に印刷することができる。
【先行技術文献】
【特許文献】
【００１１】
【特許文献１】特開２０１２−１７６５１６号公報
【発明の概要】
【発明が解決しようとする課題】
【００１２】
しかしながら、ラベル印刷装置の印刷実行のためのデータを一時的に格納するＲＡＭ２１６等の領域は限られている。
【００１３】
したがって、上述した２３枚程度であれば指定した回数分のラベルイメージ画像を作成するとともに一時的にＲＡＭ２１６等に格納し、操作入力画面にスクロール表示することができるものの、その回数には制限があるのが一般的である。
【００１４】
この際、上述したラベルのように、「連絡票ファイル」や「年」といった文字が英数字以外に含まれていることが一般的であり、その分だけメモリの記憶容量を使用することを考慮する必要もあることから、インクリメントを許容する回数は５０回程度に設定されているのが普通であった。
【００１５】
このため、例え、１枚分のラベルの文字数が少ない場合であっても、インクリメントを許容する回数は５０回であれば５０回で固定されてしまい、ナンバリング印刷におけるメモリの記憶容量の有効利用を図ることができなかった。
【００１６】
本発明の目的は、メモリの記憶容量の有効利用を図ることができる印刷装置を提供することにある。
【課題を解決するための手段】
【００１７】
上記目的を達成するために、本願発明は、被印字テープを搬送する搬送手段と、前記搬送手段により搬送される前記被印字テープに対し、所望の印字オブジェクトの印字を行う印字手段と、を有し、前記印字オブジェクトがそれぞれ前記被印字テープに形成された少なくとも１つの印刷物を、前記搬送手段の搬送方向に沿って作成する印刷装置であって、１つの前記印刷物に関しテープ長さ方向に少なくとも１個設定可能なブロックに配置されると共に、所定の規則性に沿ってインクリメント可能な印字用識別子を含む、前記印字オブジェクトの入力操作を受け付ける、印字オブジェクト受付手段と、前記印字用識別子をインクリメントするときのインクリメント実行回数の設定操作を受け付ける、インクリメント回数受付手段と、前記インクリメント回数受付手段で受け付けた前記インクリメント実行回数に応じて、前記印字オブジェクト受付手段で入力操作を受け付けた前記印字オブジェクトの前記印字用識別子がインクリメントされた、複数の印刷物イメージを生成するイメージ生成手段と、所定の記憶容量を固定的に備え、前記イメージ生成手段により生成された前記複数の印刷物イメージを記憶するイメージメモリと、前記イメージメモリに記憶された前記複数の印刷物イメージを表示する表示手段と、前記搬送手段及び前記印字手段を制御し、前記表示手段に表示された前記複数の印刷物イメージに対応した複数の前記印刷物を生成する、印刷制御手段と、前記イメージメモリの前記記憶容量の値に応じて定まる、前記イメージ生成手段により生成される前記複数の印刷物イメージの個数の最大値を、前記印字オブジェクト受付手段で入力操作を受け付けた前記印字オブジェクトにおける印字ドット消費要素の態様に応じて可変に設定するイメージ最大値設定手段と、を有することを特徴とする。
【００１８】
本願発明の印刷装置においては、搬送手段により搬送される被印字テープに対し、印字手段により印字オブジェクトの印字形成が行われることで、それぞれに印字オブジェクト（文字列やバーコード等）が備えられた少なくとも１つの印刷物が作成される。
【００１９】
このとき、各印刷物に備えられる上記印字オブジェクトを配置するために、本願発明では、各印刷物において少なくとも１個のブロックが設定され、各ブロックに印字オブジェクトが配列される。また、本願発明では、印字オブジェクトは、上記のように印刷物が作成されるときに所定の規則性に沿ってインクリメント可能な、印字用識別子（例えば、数字やアルファベット等）を含んでいる。操作者が上記印字用識別子を含む印字オブジェクトの入力操作を行うと、その入力操作が印字オブジェクト受付手段により受け付けられる。
【００２０】
一方、本願発明では、操作者は、上記印字用識別子のインクリメント実行回数の設定を行うことができる。すなわち、操作者が、印刷物イメージに含まれる印字オブジェクトの印字用識別子がインクリメントされるときのインクリメント実行回数（例えば、３段階インクリメントする、等）の設定操作を行うと、インクリメント回数受付手段によりその設定操作が受け付けられる。そして、その受け付け結果に基づき、イメージ生成手段により、上記受け付けたインクリメント実行回数に応じて印字用識別子がインクリメントされた、複数の印刷物イメージが生成される。それら生成された複数の印刷物イメージは、イメージメモリに記憶された後に読み出され、表示手段により表示される。その後、印刷制御手段の制御に基づき、搬送手段及び印字手段の協働により、上記表示された複数の印刷物イメージに対応した複数のの印刷物が生成される。
【００２１】
ここで、上記のようにして生成された複数の印刷物イメージを記憶するイメージメモリは、固定的な記憶容量を備えている。すなわち、上記のようにして複数の印刷物イメージを記憶するときに使用できる記憶容量は有限である。したがって、インクリメント回数の設定を無限に可能としたのでは印刷物イメージ全数を記憶できなくなることから、通常、上記のようにして操作者が設定可能なインクリメント実行回数の最大値には、一律に制限が設けられている。
【００２２】
しかしながら、１つの印刷物イメージを記憶するときに消費する記憶容量は、当該印刷物イメージに含まれる印字オブジェクトのドット数に依存し、例えば、当該印字オブジェクトの文字数が多いか少ないか等によって異なる。したがって、例えば、１つの印字オブジェクトの文字数が比較的少ないときには、上記最大値のインクリメント実行回数が設定されたときであっても、実際にはイメージメモリの記憶容量を十分には使い切っておらず余らせた状態になっている可能性が高い。
【００２３】
そこで、本願発明においては、イメージ最大値設定手段が設けられる。このイメージ最大値設定手段は、上記イメージ生成手段が生成する印刷物イメージの個数の最大値を、印字オブジェクトにおける印字ドット消費要素の態様（上記のように、印字オブジェクトの文字数が多いか少ないか等）に応じて可変に設定する。これにより、例えば、印字オブジェクトの文字数が多い等、１つの印字オブジェクトのドット数が多い場合には、比較的少ない個数の印刷物イメージのみ生成可能とし、逆に、例えば、印字オブジェクトの文字数が少ない等、１つの印字オブジェクトのドット数が少ない場合には、比較的多い個数の印刷物イメージを生成可能とする。これにより、上記２つのいずれの場合であっても、イメージメモリの記憶容量を余らせることなく十分には使い切る形で、無駄なく効率的に可能な限りの数の印刷物を作成することができ、メモリの記憶容量の有効利用を図ることができる。
【発明の効果】
【００２４】
本発明によれば、メモリの記憶容量の有効利用を図ることができる。
【図面の簡単な説明】
【００２５】
【図１】本発明の一実施形態の印字ラベル作成装置の外観を示す斜視図である。
【図２】カートリッジの内部構造を模式的に表す拡大平面図である。
【図３】印字ラベル作成装置の制御系を表す概念図である。
【図４】作成される印字ラベルの外観例を表す平面図である。
【図５】インクリメントに係わる各種設定を受け付けるときの表示例を表す説明図である。
【図６】インクリメントに係わる各種設定を受け付けるときの表示例を表す説明図である。
【図７】インクリメントの実行回数の最大値を制御回路で算出する際の印字ドット消費要素の一例の説明図である。
【図８】制御回路が実行する制御手順を表すフローチャートである。
【図９】ステップＳ８０の詳細手順を表すフローチャートである。
【図１０】変形例２におけるインクリメントに係わる各種設定を受け付けるときの表示例を表す説明図である。
【発明を実施するための形態】
【００２６】
以下、本発明の一実施の形態を図面を参照しつつ説明する。
【００２７】
＜印字ラベル作成装置の外観構成＞
図１に示すように、本実施形態の印字ラベル作成装置１（印刷装置に相当）は、外郭を構成する筐体１Ａを備えている。筺体１Ａは、装置下面及び装置側面を構成する樹脂製の下カバー１５と、装置上面を構成する樹脂製の上カバー１７とからなる。上カバー１７は、後部側にカートリッジホルダ９（後述の図２参照）を覆うカートリッジカバー１７ａを備え、カートリッジカバー１７ａは、後端部を支点として開閉可能である。上カバー１７の前部側には、カートリッジカバー１７ａに隣接した例えば矩形開口状の開口部６と、この開口部６を塞ぐように装着された透明パネル７とが設けられ、開口部６の内側には、入力した文字や記号等を表示するための、例えば液晶ディスプレイからなる表示部５が配置されている。開口部６の周囲には操作部２が設けられている。操作部２には、上カバー１７の前方向から後方向に向けて、文字入力等の種々の操作が行われるキーボード３と、電源スイッチや印刷キー等の印字ラベル作成装置１の各種機能を実行させるための機能キー群４とが配置されている。
【００２８】
筺体１Ａの内部には、例えば表示部５の下側に、後述の制御回路２１０（後述の図３参照）等を構成する電子素子（ＩＣチップ等）を実装した図示しないメイン基板と、メイン基板の上記制御回路２１０にコネクタを介して接続された図示しないキー基板とが設けられている。キー基板は、上記キーボード３及び機能キー群４を構成する各キーに対応する位置に設けられた複数のキー用接点を有し、このキー用接点は、操作者がキーボード３及び機能キー群４の各キーを操作した際に閉成され、これにより各キーに割り当てられた機能が実行される。
【００２９】
＜カートリッジホルダ及び周囲構成＞
筺体１Ａのカートリッジカバー１７ａの内側には、図２に示すように、印字済ラベル用テープ１０９を供給するためのカートリッジ８が着脱可能な上記カートリッジホルダ９が設けられている。このカートリッジホルダ９は、上記カートリッジカバー１７ａによって常時閉塞されており、カートリッジカバー１７ａを開放するとカートリッジホルダ９が露出される。カートリッジホルダ９には、カートリッジ８内の使用済みのインクリボン１０５を巻き取るためのリボン巻取りローラ駆動軸１０７と、カートリッジ８内のカバーフィルム１０３（被印字テープに相当）を搬送するための送りローラ駆動軸１０８（搬送手段に相当）とが設けられている。
【００３０】
またカートリッジホルダ９には、カバーフィルム１０３に所望の印刷を行うサーマルヘッド２３（印字手段に相当）が、カートリッジ８の装着時にその開口部に位置するように設けられている。サーマルヘッド２３は、カバーフィルム１０３の搬送方向と直交する方向に配列された複数の発熱素子２３ａ（後述の図３参照）を備えており、印刷駆動回路２１１（後述の図３参照）の制御に基づき、カバーフィルム１０３を搬送方向に印字解像度に分割してなる各印字ライン上に少なくとも各ドットを形成する。これにより、カバーフィルム１０３に対し、所望の印字オブジェクト（例えば文字列等）の印字を行う。
【００３１】
カートリッジ８は、筐体８Ａと、この筐体８Ａ内に配置され、帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）が巻回されたリボン供給側ロール１１１と、印字後のインクリボン１０５を巻取るリボン巻取りローラ１０６と、カートリッジ８のテープ排出部の近傍に回転可能に支持された送りローラ２７と、を有する。
【００３２】
第１ロール１０２は、リール部材１０２ａの周りに上記基材テープ１０１を巻回している。基材テープ１０１は、この例では、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００３３】
送りローラ２７は、上記基材テープ１０１と印字形成後の上記カバーフィルム１０３とを押圧して搬送しつつ接着させて上記印字済みラベル用テープ１０９とし、得られる印字済みラベル用テープ１０９を図２中矢印Ａで示す方向に搬送する。なお、リボン巻取りローラ１０６及び送りローラ２７は、ローラ駆動用モータ２１３（後述の図３参照）の駆動力が上記リボン巻取りローラ駆動軸１０７及び送りローラ駆動軸１０８に伝達されることによって、連動して回転駆動される。なお、この回転駆動の際、サーマルヘッド２３に対向配置されるプラテンローラ２６や、送りローラ２７に対向配置される圧着ローラ２８も同様に回転する。
【００３４】
また、印字済ラベル用テープ１０９の搬送経路に沿って送りローラ２７及び圧着ローラ２８の下流側には、印字済ラベル用テープ１０９を厚さ方向に切断する（以下適宜、「全切断」又は「フルカット」と称する）ための、カッタ４０が設けられている。
【００３５】
＜印字ラベル作成装置の制御系＞
図３を用いて、印字ラベル作成装置１の制御系を説明する。図３において、印字ラベル作成装置１には、印刷駆動回路２１１と、ローラ駆動回路２１２と、カッタ４０を全切断動作させるカッタソレノイド２１４への通電を制御するカッタソレノイド駆動回路２１５と、印刷駆動回路２１１、ローラ駆動回路２１２、カッタソレノイド駆動回路２１５等を介し、印字ラベル作成装置１全体の動作を制御するための制御回路２１０と、が設けられている。
【００３６】
ローラ駆動回路２１２は、上記送りローラ駆動軸１０８（図２参照）及びリボン巻取りローラ駆動軸１０７（図２参照）を駆動するローラ駆動用モータ２１３を制御する。すなわち、ローラ駆動回路２１２は、ローラ駆動用モータ２１３の回転速度を制御することにより、印字済みラベル用テープ１０９の搬送速度（言い換えればカバーフィルム１０３の搬送速度。以下同様）の制御を行う。
【００３７】
印刷駆動回路２１１は、上記サーマルヘッド２３の発熱素子２３ａへの通電を行う。すなわち、印刷駆動回路２１１は、上記ローラ駆動用モータ２１３の駆動力による印字済みラベル用テープ１０９の搬送の開始後、（制御回路２１０から取得された印字データを１つの印字ライン単位に分割した）ライン印字データごとに通電態様を切り替えつつ、上記データに対応した複数の発熱素子２３ａの通電制御を行う。
【００３８】
操作部２は、上記キー基板に設けられキーボード３及び機能キー群４の操作に対応して閉成されるキー用接点からの操作信号が入力される。制御回路２１０は、それらキーボード３及び機能キー群４の操作に応じて、制御回路２１０を通じて印刷駆動回路２１１、ローラ駆動回路２１２、ローラ駆動用モータ２１３、カッタソレノイド駆動回路２１５等を制御する。また、操作部２における操作結果に応じて、制御回路２１０から表示制御信号が出力され、対応する表示が表示部５において行われる。
【００３９】
また制御回路２１０は、いわゆるマイクロコンピュータであり、図示を省略する中央演算処理装置であるＣＰＵやＲＯＭの他、所定の記憶容量を固定的に備えて複数の印刷物イメージを記憶するイメージメモリとしてのＲＡＭ２１６等から構成される。そして制御回路２１０は、ＲＡＭ２１６の一時記憶機能を利用しつつＲＯＭに予め記憶されたプログラム（後述の図７及び図８に示す印字ラベル作成フローを実行する印字ラベル作成プログラムを含む）に従って所定の処理を行う。なお、制御回路２１０は、電源回路により給電されるとともに、通信回路を介し例えば通信回線に接続され、この通信回線に接続された図示しないルートサーバ、他の端末、汎用コンピュータ、及び情報サーバ等との間で情報のやりとりが可能となっている。
【００４０】
＜印字ラベル作成装置の基本動作＞
上記構成の印字ラベル作成装置１において、カートリッジ８が上記カートリッジホルダ９に装着されると、カバーフィルム１０３及びインクリボン１０５がサーマルヘッド２３とプラテンローラ２６との間に狭持されるとともに、基材テープ１０１及びカバーフィルム１０３が送りローラ２７と圧着ローラ２８との間に狭持される。そして、送りローラ駆動軸１０８の駆動に伴い、リボン巻取りローラ１０６及び送りローラ２７が図２中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給ローラ１１１からインクリボン１０５が繰り出される。また、インクリボン１０５の繰り出しによりプラテンローラ２６が回転し、送りローラ２７、圧着ローラ２８及びプラテンローラ２６の回転により第２ロール１４からカバーフィルム１０３が繰り出されて送りローラ２７へ供給される。一方、印刷駆動回路２１１によりサーマルヘッド２３の複数の発熱素子２３ａが通電され、第２ロール１０４から繰り出されたカバーフィルム１０３の裏面に所望の印字オブジェクトＲ（この例では「ＡＢ・・」の文字列）が形成される。
【００４１】
そして、上記基材テープ１０１と上記印刷が終了したカバーフィルム１０３とが上記送りローラ２７及び圧着ローラ２８により接着されて一体化されることにより印字済みラベル用テープ１０９として形成され、テープ排出部よりカートリッジ８外へと搬出される。カバーフィルム１０３に印字オブジェクトＲの形成が終了したインクリボン１０５は、リボン巻取りローラ駆動軸１０７の駆動によりリボン巻取りローラ１０６に巻取られる。
【００４２】
その後、カッタ４０が動作して、印字済ラベル用テープ１０９が所定の長さに全切断され、印字ラベルＬ（印刷物に相当。後述の図４参照）が形成される。
【００４３】
＜印字ラベルの例＞
ここで、印字ラベル作成装置１は、図４に示すように、印字ラベルＬに、複数の印字ラベルＬ１，Ｌ２…Ｌ６６を、上記印字済みラベル用テープ１０９の搬送方向に沿った所定の順序で連続的に作成可能となっている。
【００４４】
図示の例では、印字ラベルＬ１には、文字「Ａ」と文字「００１」とがそれぞれ配置されている。印字ラベルＬ２には、文字「Ａ」と文字「００２」とがそれぞれ配置され、以下、順次印字ラベルＬ６６の文字「Ａ」と文字「０６６」に至るまで、数字順に配置される。
【００４５】
また、図４に示すように、本実施形態では、上記のように複数の印字ラベル（この例では６６個の印字ラベルＬ１，Ｌ２…Ｌ６６）が連続的に作成されるときに所定の規則性に沿ってインクリメント可能な、印字用識別子を含んでいる。すなわちこの例では、数字「００１」「００２」…「０６６」が印字用識別子であり、文字「Ａ」を含む全体（例えば、「Ａ００１」「Ａ００２」）が印字オブジェクトである。なお、上記アルファベット「Ａ」においても大文字のアルファベット順とする印字用識別子として指定することも可能であるが、以下の説明においては数字のみに特化して説明する。
【００４６】
印字ラベルＬ１，Ｌ２…Ｌ６６における上記数字「００１」「００２」…「０６６」は、印字ラベルＬ１→印字ラベルＬ２…→印字ラベルＬ６６の作成順に沿って「００１」→「００２」…→「０６６」と１文字ずつインクリメントされている。
【００４７】
＜実施形態の特徴＞
そして、本実施形態では、上記のような印字ラベルＬ１，Ｌ２…Ｌ６６を作成するにあたり、上記文字列のインクリメントに関する操作者による各種設定を受け付ける。以下、その詳細を順を追って説明する。
【００４８】
＜印字オブジェクトの受付＞
まず、液晶表示部２に適宜の編集用初期設定画面（図示せず）が表示された状態で、操作者が、キーボード部３を介し、印字ラベルＬにおける文字入力や文字編集等の印字用識別子を含む印字オブジェクトの入力操作を行うと、その入力操作が受け付けられる。本実施形態では、上記受け付け結果に基づき、図５に示すように、１つの印字ラベルＬに係わる設定イメージが生成され、液晶表示部２に表示される。
【００４９】
例えば、図５（ａ）に示す例では、１つの印字ラベルＬにおける印字オブジェクトとして文字「Ａ」が入力されるとともに、印字オブジェクトとして文字「００１」が入力されている。これにより、上記文字「Ａ」「００１」を含む１つの印字ラベルＬの設定イメージＭ１が、液晶表示部２に表示されている。
【００５０】
そして、本実施形態では、操作者による上記インクリメントに係わる設定は、インクリメントの対象とする印字用識別子（この例では数字部分）は、２カ所が範囲指定できるようになっている。言い換えれば、インクリメントの対象とする印字用識別子を、少なくとも１つ選ぶことができる。なお、液晶表示部２における設定イメージＭ１の上方の設定指示メッセージ欄ＳＭ１には、「インクリメントの各種設定を行ってください。」等の操作ガイドメッセージが表示される。
【００５１】
この例では、図５（ｂ）に示すように、インクリメントの対象とする印字用識別子として、文字列「００１」が範囲指定され、対象範囲を認識可能とするように、網掛けや白黒反転表示をする。
【００５２】
＜インクリメント態様の受付＞
上記のような範囲指定が行われると、次に、この例では、図６（ａ）に示すように、上記設定イメージＭ１の下方左側に、インクリメント対象に係わるインクリメント態様指定欄ＳＭ２が表示される。インクリメント態様指定欄ＳＭ２は、１回のインクリメントの程度を表すインクリメント間隔の設定を入力可能な「インクリメント間隔」ボックスＳＭ２１と、インクリメントの実行回数の設定を入力可能な「インクリメント回数」ボックスＳＭ２２とが表示される。
【００５３】
図６（ａ）に示す例では、インクリメント態様指定欄ＳＭ２において、「インクリメント間隔」ボックスＳＭ２１によりインクリメント間隔が１に設定されている。また、「インクリメント回数」ボックスＳＭ２２によりインクリメントの実行回数が６６に設定されている。
【００５４】
以上のようにして設定イメージＭ１の文字「００１」のインクリメントの間隔及びインクリメントの実行回数の設定がすべて完了すると、図６（ｂ）に示すように、上記印字ラベルＬ１，Ｌ２…Ｌ６６が作成され、スクロール等により確認を行えるようになっている。また、作成した印字ラベルＬ１，Ｌ２…Ｌ６６の印字データがＲＡＭ２１６に記憶される。
【００５５】
そして、例えば、印刷実行ボタンの操作により、サーマルヘッド２３による印字形成とカッタ４０による全切断が実行され、対応する枚数の印字ラベルＬ１，Ｌ２…Ｌ６６が作成される。例えば、図４に示した、印字オブジェクトである文字列「Ａ００１」が配置された印字ラベルＬ１、文字列「Ａ００２」が配置された印字ラベルＬ２、以下、文字列「Ａ０６６」が配置された印字ラベルＬ６６を作成することができる。
【００５６】
このように本実施の形態にかかる印字ラベル作成装置１においては、送りローラ駆動軸１０７により搬送される被印字テープに対し、サーマルヘッド２３により印字オブジェクトの印字形成が行われることで、それぞれに印字オブジェクト（文字列やバーコード等）が備えられた少なくとも１つの印字ラベルが作成される。
【００５７】
このとき、各印刷物に備えられる上記印字オブジェクトを配置するために、各印刷物において少なくとも１個のブロック（印字ラベルに相当）が設定され、各ブロックに印字オブジェクトが配列される。また、印字オブジェクトは、上記のように印刷物が作成されるときに所定の規則性に沿ってインクリメント可能な、印字用識別子（例えば数字やアルファベット等）を含んでいる。操作者が上記印字用識別子を含む印字オブジェクトの入力操作を行うと、その入力操作が受け付けられる。
【００５８】
一方、操作者は、印字用識別子のインクリメント実行回数の設定を行うことができる。すなわち、操作者が、印刷物イメージに含まれる印字オブジェクトの印字用識別子がインクリメントされるときのインクリメント実行回数（例えば、３段階インクリメントする等）の設定操作を行うと、その設定操作が受け付けられる。そして、その受け付け結果に基づき、受け付けたインクリメント実行回数に応じて印字用識別子がインクリメントされた複数の印刷物イメージが生成される。それら生成された複数の印刷物イメージは、ＲＡＭ２１６に記憶された後に読み出され、表示部５により表示される。その後、印刷制御手段の制御に基づき、送りローラ駆動軸１０７及びサーマルヘッド２３の協働により、上記表示された複数の印刷物イメージに対応した複数の印刷物が生成される。
【００５９】
ここで、上記のように、インクリメントの実行回数として指定された全枚数のイメージ（文字列）を、実際の印刷前に予め生成して表示部５に表示する。その際、イメージ生成のためには当然のことながら印字ラベル作成装置１のＲＡＭ２１６の容量を消費する。
【００６０】
ＲＡＭ２１６の容量は有限（機種ごとに定まるある固定値）であるため、例えば、インクリメントの実行回数を「９９９」回と指定したとしても、制限機能により印字ラベル作成装置１側では受け入れず、ＲＡＭ２１６の容量に応じた「５０枚」のみがイメージ作成されて表示部５に表示される。
【００６１】
従来においては、この「５０枚」の制限値は、印字オブジェクトとしての文字列が４文字の「Ａ００１」であろうが３文字の「００１」であろうが、一律に固定値となっていた。
【００６２】
そこで、本実施の形態においては、文字列「Ａ００１」の場合であれば、文字数は４文字なので５０枚の制限によりイメージ作成をすることができなかったとしても、「００１」というように文字数を３文字に減らせば、印字ラベル１枚あたりに消費するＲＡＭ２１６の容量は当然少なくなるので、印字ラベル作成装置１側で制限値を上げることができれば、多くのイメージを生成することができるようになる。
【００６３】
そこで、インクリメントの実行回数を「９９９」回と指定した場合、印字オブジェクトとしての文字列が４文字の「Ａ００１」の場合には５０回、文字の「００１」の場合には６６回というように、ＲＡＭ２１６の容量に応じて定まる複数の印刷物イメージ（印字ラベルＬ１，Ｌ２…ＬＮ）の個数の最大値Ｎを、印字オブジェクトの入力操作を受け付けた際の印字ドット消費要素に基づいて可変に設定するよう構成した。
【００６４】
すなわち、図７（ａ）に示す文字列「Ａ００１」と図７（ｂ）に示す文字列「００１」とでは、当然に文字列「Ａ００１」の方が使用するドット数は多くなり、ＲＡＭ２１６の使用領域も多くなる。
【００６５】
１つの印刷物イメージを記憶するときに消費する記憶容量は、当該印刷物イメージに含まれる印字オブジェクトのドット数に依存し、例えば、印字オブジェクトの文字数が多いか少ないか等によって異なる。
【００６６】
したがって、例えば１つの印字オブジェクトの文字数が比較的少ないときには、上記最大値のインクリメント実行回数が設定されたときであっても、実際にはＲＡＭ２１６の記憶容量を十分には使い切っておらず余らせた状態になっている可能性が高い。
【００６７】
そこで、本実施の形態においては、イメージ最大値の設定を可能とする。このイメージ最大値の設定は、イメージを生成する際の印刷物イメージの個数の最大値を、印字オブジェクトにおける印字ドット消費要素の態様（上記のように、印字オブジェクトの文字数が多いか少ないか等）に応じて可変に設定する。
【００６８】
これにより、例えば、印字オブジェクトの文字数が多い等、１つの印字オブジェクトのドット数が多い場合には、比較的少ない個数の印刷物イメージのみ生成可能とし、逆に、例えば、印字オブジェクトの文字数が少ない等、１つの印字オブジェクトのドット数が少ない場合には、比較的多い個数の印刷物イメージを生成可能とする。
【００６９】
これにより、上記２つのいずれの場合であっても、ＲＡＭ２１６の記憶容量を余らせることなく十分に使い切る形で、無駄なく効率的に可能な限りの数の印刷物を作成することができる。
【００７０】
上記手法を実現するために、ラベル作成装置１のＣＰＵ４４が実行する制御手順を、図８及び図９のフローチャートにより説明する。
【００７１】
＜制御手順＞
図８において、このフローに示す処理は、例えば印字ラベル作成装置１の電源がオンされることにより開始される。
【００７２】
まず、ステップＳ１０で、制御回路２１０は、操作部２を介し、１つの印刷物に関しテープ長さ方向に少なくとも１個設定可能なブロックに配置されると共に、所定の規則性に沿ってインクリメント可能なアルファベットや数字等の印字用識別子を含む文字列等の印字オブジェクトの入力操作を受け付ける。このステップＳ１０を実行する制御回路２１０が各請求項記載の印字オブジェクト受付手段として機能する。
【００７３】
その後、ステップＳ２０に移り、制御回路２１０は、上記ステップＳ１０で受け付けられた印字オブジェクトをそれぞれ備えた、上記ステップＳ５で受け付けられた数量のブロックがテープ長さ方向に配列された、１つの設定イメージＭ１を生成する。
【００７４】
そして、ステップＳ３０で、制御回路２１０は、表示部５に制御信号を出力し、上記ステップＳ２０で生成された設定イメージＭ１を、表示部５に表示させる（図５（ａ）参照）。
【００７５】
その後、ステップＳ４０に移り、制御回路２１０は、操作部２を介した、操作者によるインクリメント態様に関する各種の設定操作を受け付ける。なお、このステップＳ４０で受け付けられる印字ラベルのインクリメントに関する設定操作としては、上記したように、例えば、インクリメントの対象とする印字用識別子の設定（範囲設定。図５（ｂ）参照）、インクリメント間隔の設定（図６（ａ）参照）、印字用識別子をインクリメントするときのインクリメント実行回数の設定（図６（ａ）参照）等の操作がある。このステップＳ４０を実行する制御回路２１０が、各請求項記載のインクリメント回数受付手段として機能する。
【００７６】
その後、ステップＳ５０に移り、制御回路２１０は、ＲＡＭ２１６の記憶容量の値に応じて定まる印字ラベルＬ１，Ｌ２…ＬＮのインクリメントの実行回数の最大値Ｎを、ステップＳ１０で入力操作を受け付けた印字オブジェクトにおける印字ドット消費要素（例えば、文字数が多い等）の態様に応じて可変に設定する。このステップＳ５０を実行する制御回路２１０が、各請求項記載のイメージ最大値設定手段として機能する。
【００７７】
これにより、１つの印字オブジェクトのドット数が多い場合には、操作者の設定によるインクリメント実行回数が大きくてもそれより小さいインクリメント実行回数によって複数の印刷物イメージを生成し、逆に１つの印字オブジェクトのドット数が少ない場合には、操作者の設定によるインクリメント実行回数どおりに複数の印刷物イメージを生成することができる。この結果、上記２つのいずれの場合であっても、無駄なく効率的に印刷物を作成することができる。
【００７８】
また、制御回路２１０は、ステップＳ６０に移り、ステップＳ４０で受け付けたインクリメント実行回数に応じて、ステップＳ１０で入力操作を受け付けた印字オブジェクトの印字用識別子がインクリメントされた、複数の印刷物イメージ（印字ラベルＬ１，Ｌ２…Ｌ５０又はＬ６６）を生成する。
【００７９】
具体的には、印字オブジェクトにおける印字ドット消費要素の態様に応じてステップＳ４０で受け付けたインクリメントの実行回数と等しい（例えば、６６枚分）か、或いはそれよりも少ない回数（例えば、５０枚分）で印字用識別子がインクリメントされた複数の印刷物イメージ（印字ラベルＬ１，Ｌ２…Ｌ５０又はＬ６６）を生成する。このステップＳ６０を実行する制御回路２１０が、各請求項記載のイメージ生成手段及びイメージ生成制限手段として機能する。
【００８０】
そして、ステップＳ７０で、制御回路２１０は、操作部２を介し所定のラベル作成指示が入力されたか否かを判定する。ラベル作成指示が入力されるまでは、ステップＳ７０の判定は満たされず（Ｓ７０：ＮＯ）、ループ待機する。ラベル作成指示が入力されたら、ステップＳ７０の判定が満たされて（Ｓ７０：ＹＥＳ）、ステップＳ８０に移る。
【００８１】
ステップＳ８０では、制御回路２１０は、上記ステップＳ４０及びステップＳ４０で受け付けたインクリメント態様及び切断態様に対応した印字ラベルＬを生成するラベル作成処理を実行する。このステップＳ８０を実行する制御回路２１０が各請求項記載の印刷制御手段として機能する。その後、このフローに示す処理を終了する。
【００８２】
上記ステップＳ８０のラベル作成処理の詳細手順を図９により説明する。
【００８３】
図９において、まずステップＳ８１で、制御回路２１０は、印字ラベルＬの作成枚数に係わる変数Ｎの値を１に設定する。またこれと共に、上記ステップＳ４０で受け付けたインクリメント態様の選択（インクリメント間隔、インクリメント回数等）に対応して、上記変数Ｎの最大値Ｎｍａｘを設定する。
【００８４】
その後、ステップＳ８２で、制御回路２１０は、ローラ駆動回路２１２に制御信号を出力し、ローラ駆動用モータ２１３の駆動を開始する。これにより、プラテンローラ２６等の回転が開始され、カバーフィルム１０３、基材テープ１０１、及び印字済みラベル用テープ１０９の搬送が開始される。
【００８５】
その後、ステップＳ８３に移り、制御回路２１０は、カバーフィルム１０３の搬送方向位置が所定の印字開始位置に達したか否かを公知の手法で判定する。印字開始位置に達するまでは、ステップＳ８３の判定が満たされず（Ｓ８３：ＮＯ）、上記ステップＳ８２に戻り同様の手順を繰り返す。印字開始位置に達したら、ステップＳ８３の判定が満たされて（Ｓ８３：ＹＥＳ）、ステップＳ８４に移る。
【００８６】
ステップＳ８４では、制御回路２１０は、印刷駆動回路２１１に対し、上記ステップＳ４０で設定したインクリメント態様に基づいて印字用識別子を順次インクリメントしたときの、この時点での変数Ｎの値に対応する順番のラベルに対応した制御信号（印字データ）を出力する。これにより、上記印字データに対応してサーマルヘッド２３が駆動され、カバーフィルム１０３に対し、当該印字データに対応した印字オブジェクトの形成が開始される。
【００８７】
そして、ステップＳ８５で、制御回路２１０は、カバーフィルム１０３の搬送方向位置が所定の印字終了位置に達したか否かを公知の手法で判定する。印字終了位置に達するまでは、ステップＳ８５の判定は満たされず（Ｓ８５：ＮＯ）、ループ待機する。印字終了位置に達したら、ステップＳ８５の判定が満たされて（Ｓ８５：ＹＥＳ）、ステップＳ８６に移る。
【００８８】
ステップＳ８６では、制御回路２１０は、印刷駆動回路２１１に対し制御信号を出力し、サーマルヘッド２３の駆動を停止して、印字を終了させる。
【００８９】
その後、ステップＳ８７に移り、制御回路２１０は、印字済みラベル用テープ１０９の搬送方向位置がテープ切断位置に達したか否かを公知の手法で判定する。テープ切断位置に達するまでは、ステップＳ８７の判定は満たされず（Ｓ８７：ＮＯ）、ループ待機する。テープ切断位置に到達したら、ステップＳ８７の判定が満たされて（Ｓ８７：ＹＥＳ）、ステップＳ８８に移る。
【００９０】
ステップＳ８８では、制御回路２１０は、ローラ駆動回路２１２に制御信号を出力し、モータ２１３の駆動を停止する。これにより、プラテンローラ２６等の回転が停止し、カバーフィルム１０３、基材テープ１０１、及び印字済みラベル用テープ１０９の搬送が停止する。
【００９１】
ステップＳ８９では、制御回路２１０は、変数Ｎの値が最大数Ｎｍａｘに達したか否かを判定する。変数Ｎの値が最大数Ｎｍａｘに達するまでは、ステップＳ８９の判定は満たされず（Ｓ８９：ＮＯ）、ステップＳ９０に移る。ステップＳ９０では、制御回路２１０は、変数Ｎの値に１を加えた後、上記ステップＳ８２に戻り同様の手順を繰り返す。一方、ステップＳ８９において、変数Ｎの値が最大数Ｎｍａｘに達したら、ステップＳ８９の判定が満たされて（Ｓ８９：ＹＥＳ）、このルーチンを終了する。以上により、上記Ｎｍａｘ枚の全印字ラベルＬが生成される。
【００９２】
以上説明したように、本実施形態においては、設定されたインクリメント態様に応じた印字済みラベル用テープ１０９の切断設定を可能とする。すなわち、操作者が、上記インクリメント態様に対応した、隣接する２つの印字ラベルＬの境界における、カッタ４０による全切断態様の設定操作を行うことで、当該設定操作が受け付けられる（上記ステップＳ６０参照）。そして、上記設定されたインクリメントの態様に応じて印字用識別子がインクリメントされた印字オブジェクトがそれぞれ形成され、かつ、上記のように受け付けた切断態様で切断された、複数の印字ラベルＬ（上記の例では５枚の印字ラベルＬ１，Ｌ２…Ｌ６６）が生成される（上記ステップＳ８０参照）。
【００９３】
以上の結果、各印字ラベルＬにおける複数のブロックそれぞれの印字オブジェクトに含まれる複数の印字用識別子（上記の例では文字「Ａ」及び文字「００１」）のうちどれをインクリメント対象とするか、を操作者が所望に設定することができる。また、そのときのインクリメント実行回数を何回にするか、についても文字列の態様に応じて設定することができる。この結果、確実に利便性を向上することができる。
【００９４】
なお、本発明は、上記実施形態に限られるものではなく、その趣旨及び技術的思想を逸脱しない範囲内で種々の変形が可能である。以下に、その変形例について説明する。上記実施形態と同等の部分には同一の符号を付し、適宜説明を省略又は簡略化する。
【００９５】
（１）インクリメントの回数の入力制限
上記実施の形態では、インクリメントの実行回数を「９９９」回と指定した場合、印字オブジェクトとしての文字列が４文字の「Ａ００１」の場合には５０回、文字の「００１」の場合には６６回というように、ＲＡＭ２１６の容量に応じて定まる複数の印刷物イメージ（印字ラベルＬ１，Ｌ２…ＬＮ）の個数の最大値Ｎ（変数Ｎ）を、印字オブジェクトの入力操作を受け付けた際の印字ドット消費要素に基づいて可変に設定するものとした。
【００９６】
これに対して、「９９９」回という入力自体をできないようにし、最大で「５０」回（あるいは「６６」回）しか選べないよう画面上の数字入力ボックスが広がらないように受付回数制限手段を設けてもよい。
【００９７】
すなわち、上記ステップＳ５０のイメージ最大値設定ステップにおいて、制御回路２１０は、印字オブジェクトにおける印字ドット消費要素の態様に応じて、ステップＳ４０のインクリメント回数受付手段で受け付けるインクリメントの実行回数の最大値Ｎを制限してもよい。
【００９８】
これにより、１つの印字オブジェクトのドット数が多い場合には、操作者に対し、比較的少ない回数のインクリメントの実行回数のみを設定可能とし、逆に１つの印字オブジェクトのドット数が少ない場合には、比較的多い回数のインクリメントの実行回数の設定を可能とすることができる。この結果、上記２つのいずれの場合であっても、無駄なく効率的に印刷物を作成することができる。
【００９９】
（２）最大値Ｎを超えた場合の連続処理例１
上記実施の形態では、インクリメントの実行回数を「９９９」回と指定した場合であっても、印字オブジェクトの入力操作を受け付けた際の印字ドット消費要素に基づいて５０回又は６６回というように可変に設定し、それ以上の印刷は行わないように制限するものであった。
【０１００】
これに対し、インクリメントの実行回数の「９９９」回はそのまま受け付け、例えば、Ｎｍａｘ＝６６であった場合には、６６枚の印刷が終了した場合、或いは、図１０に示すように、印刷イメージ生成画面において、印刷続行の確認メッセージＳＭ３を表示し、「はい」の場合には、続きの６７〜１３２枚目（あるいは５１〜１００枚目）が自動的に印刷され、以降、入力した実行回数分を処理を行うようにしてもよい。なお、この「はい」のボタンが特許請求の範囲の続行指示受付手段を構成する。
【０１０１】
この場合、図１０（ａ）に示すように、インクリメントの実行回数を「９９９」と入力した際に、制御回路２１０による印字ドット消費要素の算出結果による最大値Ｎよりも入力した実行回数が多い場合には、設定指示メッセージ欄ＳＭ１に上限が超えている旨のメッセージを表示することができる。
【０１０２】
また、この場合に、算出した最大値Ｎの枚数を表示部５に表示するか、「インクリメント回数」ボックスＳＭ２２の数値を最大値Ｎに下げて表示することも可能である。
【０１０３】
さらに、図１０（ｂ）に示すように、最大値Ｎ分の印刷イメージを表示部５に表示するようにしてもよい。この際、上述した続行指示の場合には、制御回路２１０は、新たな印刷イメージ（印字ラベルＬ６７〜Ｌ１３２等）を新たに生成し、表示部６に表示してもよい。
【０１０４】
上述したように、ＲＡＭ２１６において複数の印刷物イメージを記憶するときに使用できる記憶容量は有限である。したがって、１回の複数の印刷物イメージ生成及びこれに基づく印刷動作だけでは、本来操作者が最終的に必要な個数の印刷物すべてを生成できない場合があり得る。あるいは、印刷動作の途中で何らかの原因で生じたエラーにより印刷物の生成が停止する場合もあり得る。このような場合における残りの印刷物の生成の便宜を図るために、本願発明においては、続行指示受付手段が設けられている。
【０１０５】
上記のようにして１回の印刷動作が行われて停止した後に、操作者により所定のインクリメント続行指示がなされると、続行指示受付手段によって当該指示が受け付けられる。そして、イメージ生成手段が、既に生成された上記印刷物の印字オブジェクトの印字用識別子に引き続く態様で（上記受け付けられたインクリメント実行回数分の）印字用識別子のインクリメントを行った、複数の印刷物イメージを新たに生成する。そして、当該新たに生成された複数の印刷物イメージがＲＡＭ２１６に記憶され、印刷制御手段の制御によってその新たな複数の印刷物イメージに対応した新たな印刷物が生成される。
【０１０６】
これにより、上記のようにして印刷動作が行われて停止した後であっても、再度のインクリメント実行回数の設定等を行うことなく、印刷済みの印刷物に備えられた印字オブジェクトの印字用識別子に引き続く態様でインクリメントを続行しつつ、残り分の印刷物を容易に作成することができる。
【０１０７】
（３）最大値Ｎを超えた場合の連続処理例２
また、上記変形例では、入力したインクリメントの実行回数が最大値Ｎを超えていた場合、その最大値Ｎ分の印刷が終了した場合に、次の印刷イメージを作成して表示部５に表示し、続行確認のうえで引き続き印刷を行うようにしたが、このような問いかけを省略し、自動的に続きの６７〜１３２枚目（又は５１〜１００枚目）を自動的に印刷してもよい。なお、この自動継続を実行する制御回路２１０が各請求項記載の受付回数継続手段として機能する。
【０１０８】
このように、本発明においては、インクリメントの実行回数を「９９９」回と指定した場合、印字オブジェクトとしての文字列が４文字の「Ａ００１」の場合には５０回、文字の「００１」の場合には６６回というように、ＲＡＭ２１６の容量に応じて定まる複数の印刷物イメージ（印字ラベルＬ１，Ｌ２…ＬＮ）の個数の最大値Ｎ（変数Ｎ）を、印字オブジェクトの入力操作を受け付けた際の印字ドット消費要素に基づいて可変に設定することにより、ＲＡＭ２１６の記憶容量の有効利用を図ることができる。
【０１０９】
なお、上記各例において、制御回路２１０は、インクリメントの実行回数に対する最大値Ｎを算出する際には、その空き容量の全てを対象とはせず、他の処理を実行するための容量を考慮して（予め作業領域を確保したうえで）最大値Ｎを算出する。
【０１１０】
また、図８及び図９に示すフローチャートは、本発明を図示する手順に限定するものではなく、発明の趣旨及び技術的思想を逸脱しない範囲内で手順の追加・削除又は順番の変更等をしてもよい。
【０１１１】
また、以上既に述べた以外にも、上記実施形態等による手法を適宜組み合わせて利用してもよい。
【０１１２】
その他、一々例示はしないが、本発明は、その趣旨を逸脱しない範囲内において、種々の変更が加えられて実施されるものである。
【符号の説明】
【０１１３】
１                      印字ラベル作成装置（印刷装置）
５                      表示部（表示手段）
２３                    サーマルヘッド（印字手段）
１０３                  カバーフィルム（被印字テープ）
１０７                  リボン巻取りローラ駆動軸
１０８                  送りローラ駆動軸（搬送手段）
２１０                  制御回路
２１６                  ＲＡＭ（イメージメモリ）
【図１】
2015112820.tif 000003
【図２】
2015112820.tif 000004
【図３】
2015112820.tif 000005
【図４】
2015112820.tif 000006
【図５】
2015112820.tif 000007
【図６】
2015112820.tif 000008
【図７】
2015112820.tif 000009
【図８】
2015112820.tif 000010
【図９】
2015112820.tif 000011
【図１０】
2015112820.tif 000012